(57)【要約】【課題】  被災者へ災害情報を通知する災害情報通知システムに関して、必要最低限の個人情報を公開し、人命救助を支援する災害情報通知システムを提供する。【解決手段】  災害情報通知システムは、利用者１００の位置情報を受付ける位置情報受付手段１と、災害情報を受付ける災害情報受付手段２と、災害情報を記憶する災害情報記憶部３１と、災害の危険地域を特定する危険地域特定手段３と、位置情報を記憶する位置情報記憶部４１と、危険地域及び位置情報から被災者を特定する被災者特定手段４と、被災者に災害情報を伝達する災害情報伝達手段５と、被災者から応答を受付ける応答情報受付手段６と、個人情報の情報公開レベルを含む利用者情報により個人情報公開を制御する情報公開制御手段７と、利用者情報を記憶する利用者情報記憶部７１と、情報公開レベルを災害に応じて変更する情報公開レベル変更手段８と、被災者の関係者・救助隊へ連携する応答情報対応手段９とを備える。【選択図】    図１
2010057075.tif 000002
【特許請求の範囲】
【請求項１】
人災及び天災を含む災害の発生時に、移動端末を所有する利用者に当該災害に関する災害情報を通知する災害情報通知システムにおいて、
前記移動端末の所在地に関する位置情報を受付ける位置情報受付手段と、
前記災害の発生時に前記災害情報を受付ける災害情報受付手段と、
前記受付けられた災害情報に基づいて、前記災害における危険地域を特定する危険地域特定手段と、
前記特定された危険地域及び前記受付けられた位置情報に基づいて、前記危険地域に所在する前記利用者を被災者として特定する被災者特定手段と、
前記特定された被災者の前記移動端末に前記災害情報を伝達する災害情報伝達手段と、
前記伝達された災害情報の応答として前記被災者からの応答情報を受付ける応答情報受付手段と、
前記利用者に関する個人情報を情報公開する際のレベルとしての情報公開レベルを少なくとも含む利用者情報が入力され、当該入力された情報公開レベルに基づいて、前記災害発生時の前記個人情報に関する問い合わせに対する情報公開範囲を制御する情報公開制御手段と、
前記情報公開レベルを前記応答情報及び前記災害情報の内容に応じて変更する情報公開レベル変更手段とを備え、
前記情報公開レベルに基づいて前記被災者の個人情報を前記被災者のために情報公開する
災害情報通知システム。
【請求項２】
請求項１に記載の災害情報通知システムにおいて、
前記利用者の関係者に関する情報を前記利用者情報に含んで記憶する利用者情報記憶手段と、
前記応答情報受付手段により受付けられた前記応答情報及び前記利用者情報に基づいて、前記被災者の関係者への報告及び／又は救助隊への指示を行う応答情報対応手段とを備える
災害情報通知システム。
【請求項３】
請求項１又は請求項２に記載の災害情報通知システムにおいて、
前記危険地域特定手段が、前記災害情報に基づいて災害危険度に応じて前記危険地域をランク付けし、
前記情報公開レベル変更手段が、ランク付けされた前記危険地域に応じて前記情報公開レベルを変更する
災害情報通知システム。
【請求項４】
請求項１ないし請求項３に記載の災害情報通知システムにおいて、
前記利用者の生活環境及び／又は本人特性を前記利用者情報に含んで記憶する利用者情報記憶手段を備え、
前記情報公開制御手段が、前記利用者情報に含まれる前記利用者の生活環境及び／又は本人特性に基づいて、前記災害による影響の受け易さに応じて前記利用者を重み付けし、
前記情報公開レベル変更手段が、前記重み付けに応じて前記情報公開レベルを変更する
災害情報通知システム。
【請求項５】
請求項１ないし請求項４に記載の災害情報通知システムにおいて、
前記災害情報伝達手段が、前記応答情報受付手段により受付けられた前記応答情報に基づいて、前記被災者の前記移動端末に、五感にて検知される物理的な遭難信号を発信させる
災害情報通知システム。
【請求項６】
人災及び天災を含む災害の発生時に、移動端末を所有する利用者に当該災害に関する災害情報を通知する災害情報通知方法において、
前記移動端末の所在地に関する位置情報を受付ける位置情報受付工程と、
前記災害の発生時に前記災害情報を受付ける災害情報受付工程と、
前記受付けられた災害情報に基づいて、前記災害における危険地域を特定する危険地域特定工程と、
前記特定された危険地域及び前記受付けられた位置情報に基づいて、前記危険地域に所在する前記利用者を被災者として特定する被災者特定工程と、
前記特定された被災者の前記移動端末に前記災害情報を伝達する災害情報伝達工程と、
前記伝達された災害情報の応答として前記被災者からの応答情報を受付ける応答情報受付工程と、
前記利用者に関する個人情報を情報公開する際のレベルとしての情報公開レベルを少なくとも含む利用者情報が入力され、当該入力された情報公開レベルに基づいて、前記災害発生時の前記個人情報に関する問い合わせに対する情報公開範囲を制御する情報公開制御工程と、
前記情報公開レベルを前記災害情報の内容に応じて変更する情報公開レベル変更工程とを備え、
前記情報公開レベルに基づいて前記被災者の個人情報を前記被災者のために情報公開する
災害情報通知方法。
【請求項７】
人災及び天災を含む災害の発生時に、移動端末を所有する利用者に当該災害に関する災害情報を通知するようにコンピュータを機能させる災害情報通知プログラムにおいて、
前記移動端末の所在地に関する位置情報を受付ける位置情報受付手段、
前記災害の発生時に前記災害情報を受付ける災害情報受付手段、
前記受付けられた災害情報に基づいて、前記災害における危険地域を特定する危険地域特定手段、
前記特定された危険地域及び前記受付けられた位置情報に基づいて、前記危険地域に所在する前記利用者を被災者として特定する被災者特定手段、
前記特定された被災者の前記移動端末に前記災害情報を伝達する災害情報伝達手段、
前記伝達された災害情報の応答として前記被災者からの応答情報を受付ける応答情報受付手段、
前記利用者に関する個人情報を情報公開する際のレベルとしての情報公開レベルを少なくとも含む利用者情報が入力され、当該入力された情報公開レベルに基づいて、前記災害発生時の前記個人情報に関する問い合わせに対する情報公開範囲を制御する情報公開制御手段、
前記情報公開レベルを前記災害情報の内容に応じて変更する情報公開レベル変更手段としてコンピュータを機能させ、
前記情報公開レベルに基づいて前記被災者の個人情報を前記被災者のために情報公開する
災害情報通知プログラム。
【発明の詳細な説明】
【技術分野】
【０００１】
本発明は、災害発生時に災害地域の被災者へ災害情報を通知する災害情報通知システムに関して、特に必要最低限の個人情報に関する情報連携を周囲に行い、円滑な人命救助を支援する災害情報通知システムの提供を目的とする。
【背景技術】
【０００２】
地震などの災害発生時や事件・事故発生時には、自分自身や家族の安否を通知することが必要である。特に自分が危険に巻き込まれた状態では、人命の危機に関わるため、周囲や警察・救助隊へ自分のＳＯＳ情報を早急に知らせることが必要である。また、被災者は、避難所や災害発生現場では、飛び交う情報が少ないために知り合いが近辺に存在していることを知らないことから孤独を感じてパニック状態に陥りがちである。
【０００３】
従来の災害情報通知システムは、災害発生の非常時にネットワークに接続されたサーバコンピュータにより被災者の本人認証を行い、本人認証が正しく行われた場合に被災者の安否情報をデータベースに登録するものがある（例えば、特許文献１参照）。また、従来の災害情報通知システムは、安否確認対象者の携帯端末から現在位置情報をリアルタイムに受信し、災害／事件情報より安否確認対象者を抽出し、安否確認対象者へ安否情報の連絡を要求するメッセージとＨＰアドレスアクセス要求を含む電子メールを送信し、安否情報を収集するものがある（例えば、特許文献２参照）。
【０００４】
また、従来の災害情報通知システムは、緊急事態を収集し、通信端末の位置を管理し、緊急事態発生時に危険エリア内に位置する通信端末及びこの通信端末が属するグループの通信端末に緊急情報を通知するものがある（例えば、特許文献３参照）。また、従来の災害情報通知システムは、異常に係るコンテキストから異常レベルを特定し、この異常レベルを認証強度レベルに変換し、この認証強度レベルに応じた認証処理を認証サーバに実行させ、異常状態に応じた動的な認証を実現するものがある（例えば、特許文献４参照）。
【特許文献１】特開２００４−２３４４１５号公報
【特許文献２】特開２００４−２５３９５１号公報
【特許文献３】特開２００５−２８４８２５号公報
【特許文献４】特開２００７−６５８２４号公報
【発明の開示】
【発明が解決しようとする課題】
【０００５】
しかし、従来の災害情報通知システムは、被災者を特定し、被災者の救済のために危険地域や被災者の居場所を含む被災内容に応じて個人情報の公開範囲を動的に変更し、被災者に関する必要最低限の個人情報を公開して被災者の救済を円滑に行うものは無い。
【０００６】
本発明は前記課題を解消するためになされたもので、災害状況に応じて個人情報の公開範囲を動的に変更することにより災害発生時に必要最低限の個人情報の情報展開を実施し、さらに行方不明中の被災者の居場所特定を支援し、円滑な救助及び被災者支援を支援する災害情報通知システムの提供を目的とする。
【課題を解決するための手段】
【０００７】
本願に開示する災害情報通知システムは、人災及び天災を含む災害の発生時に、移動端末を所有する利用者に当該災害に関する災害情報を通知する災害情報通知システムにおいて、前記移動端末の所在地に関する位置情報を受付ける位置情報受付手段と、前記災害の発生時に前記災害情報を受付ける災害情報受付手段と、前記受付けられた災害情報に基づいて、前記災害における危険地域を特定する危険地域特定手段と、前記特定された危険地域及び前記受付けられた位置情報に基づいて、前記危険地域に所在する前記利用者を被災者として特定する被災者特定手段と、前記特定された被災者の前記移動端末に前記災害情報を伝達する災害情報伝達手段と、前記伝達された災害情報の応答として前記被災者からの応答情報を受付ける応答情報受付手段と、前記利用者に関する個人情報を情報公開する際のレベルとしての情報公開レベルを少なくとも含む利用者情報が入力され、当該入力された情報公開レベルに基づいて、前記災害発生時の前記個人情報に関する問い合わせに対する情報公開範囲を制御する情報公開制御手段と、前記情報公開レベルを前記応答情報及び前記災害情報の内容に応じて変更する情報公開レベル変更手段とを備え、前記情報公開レベルに基づいて前記被災者の個人情報を前記被災者のために情報公開するものである。
このように、本願に開示する災害情報通知システムは、利用者情報記憶手段が前記利用者に関する前記情報公開レベルを少なくとも含む利用者情報を記憶し、情報公開制御手段が前記情報公開レベルに基づいて災害発生時の個人情報の情報公開範囲を制御し、情報公開レベル変更手段が前記災害情報の内容に応じて前記情報公開レベルを変更し、前記情報公開レベルに基づいて前記被災者の個人情報を前記被災者のために情報公開することから、災害発生時に前記情報公開レベルに応じて個人情報の情報展開を実施することとなり、救助に必要とされるが平時には制限される個人情報の公開範囲を動的に変更して情報公開することにより、救助及び被災者支援を円滑に行うことができる。
【０００８】
また、本願に開示する災害情報通知システムは必要に応じて、前記利用者の関係者に関する情報を前記利用者情報に含んで記憶する利用者情報記憶手段と、前記応答情報受付手段により受付けられた前記応答情報及び前記利用者情報に基づいて、前記被災者の関係者への報告及び／又は救助隊への指示を行う応答情報対応手段とを備えるものである。このように、本願に開示する災害情報通知システムは、応答情報対応手段が前記応答情報受付手段により受付けられた前記応答情報及び前記利用者情報に基づいて、前記被災者の関係者への報告及び／又は救助隊への指示を行うことから、前記被災者からの応答に応じて前記被災者の安否を求める関係者へ知らせ、状況に応じて前記被災者の救助を依頼することとなり、前記被災者の安否確認及び救助を円滑化することができる。
【０００９】
また、本願に開示する災害情報通知システムは必要に応じて、前記危険地域特定手段が、前記災害情報に基づいて災害危険度に応じて前記危険地域をランク付けし、前記情報公開レベル変更手段が、ランク付けされた前記危険地域に応じて前記情報公開レベルを変更するものである。このように、本願に開示する災害情報通知システムは、前記情報公開レベル変更手段が、ランク付けされた前記危険地域に応じて前記情報公開レベルを変更することから、前記危険地域の場所に対して優先順位を付けることとなり、被災の状況に応じた災害対応を柔軟に支援することができる。
【００１０】
また、本願に開示する災害情報通知システムは必要に応じて、前記利用者の生活環境及び／又は本人特性を前記利用者情報に含んで記憶する利用者情報記憶手段を備え、前記情報公開制御手段が、前記利用者情報に含まれる前記利用者の生活環境及び／又は本人特性に基づいて、前記災害による影響の受け易さに応じて前記利用者を重み付けし、前記情報公開レベル変更手段が、前記重み付けに応じて前記情報公開レベルを変更するものである。このように、本願に開示する災害情報通知システムは、前記情報公開制御手段が、前記災害による影響の受け易さに応じて前記利用者を重み付けし、前記情報公開レベル変更手段が、前記重み付けに応じて前記情報公開レベルを変更することから、個々人の置かれた状況を鑑みて優先順位を付けて災害情報を通知することとなり、個々人の状況に応じた災害対応を柔軟に支援することができる。
【００１１】
また、本願に開示する災害情報通知システムは必要に応じて、前記災害情報伝達手段が、前記応答情報受付手段により受付けられた前記応答情報に基づいて、前記被災者の前記移動端末に、五感にて検知される物理的な遭難信号を発信させるものである。このように、本願に開示する災害情報通知システムは、前記災害情報伝達手段が、前記被災者からの応答状況に応じて、前記移動端末に、五感にて検知される物理的な遭難信号を発信させることから、救出活動により安否が不明な被災者の所在地をより早く検知できることとなり、安否が不明な被災者の円滑な救出活動を支援することができる。
【発明を実施するための最良の形態】
【００１２】
（本発明の第１の実施形態）
以下、本発明の第１の実施形態に係る災害情報通知システムを、図１から図８に基づいて説明する。この図１は本発明の第１の実施形態に係る災害情報通知システムの構成を示すブロック図、図２は図１に記載された災害情報通知システムの各記憶部に記憶される情報を示す説明図、図３は図１に記載された災害情報通知システムの位置情報記憶部及び災害情報記憶部に記憶される情報のデータレイアウト例、図４は図１に記載された災害情報通知システムの利用者情報記憶部に記憶される情報のデータレイアウト例、図５は図１に記載された災害情報通知システムを中心とする全体概略図、図６は図１に記載された災害情報通知システムの災害情報通知のフローチャート、図７は図１に記載された災害情報通知システムのＳＯＳサイン発動のフローチャート、図８は図１に記載された災害情報通知システムの情報公開のフローチャートを示す。
【００１３】
図１において、本実施形態に係る災害情報通知システムは、利用者１００の所有する移動端末１０１の所在地に関する位置情報を受付ける位置情報受付手段１と、災害の発生時に外部機関２００から災害情報を受付ける災害情報受付手段２と、この災害情報を記憶する災害情報記憶部３１と、この災害情報に基づいて災害の危険地域を特定する危険地域特定手段３と、前記受付けた利用者１００の位置情報を記憶する位置情報記憶部４１と、前記危険地域及びこの位置情報に基づいて危険地域に所在する利用者１００を被災者として特定する被災者特定手段４と、前記特定された被災者の移動端末１０１に災害情報を伝達する災害情報伝達手段５と、この被災者からこの災害情報の応答情報を受付ける応答情報受付手段６と、前記利用者１００に関する個人情報を情報公開する際のレベルとしての情報公開レベルを少なくとも含む利用者情報が入力され、この利用者情報を記憶する利用者情報記憶部７１と、この入力された情報公開レベルに基づいて、災害発生時に個人情報の公開範囲を制御する情報公開制御手段７と、前記情報公開レベルを前記応答情報及び前記災害情報の内容に応じて変更する情報公開レベル変更手段８と、前記被災者の家族・友人１００ａの移動端末１０１ａや関係者１００ｂの移動端末１０１ｂへの報告及び／又は第三者機関３００への指示を行う応答情報対応手段９とを備えるものである。
【００１４】
また、前記災害情報記憶部３１は、図２（ａ）に示すように、災害/事故/事件テーブル３１ａを備える。また、前記位置情報記憶部４１は、同図（ｂ）に示すように、ユーザー状態テーブル４１ａを備える。また、前記利用者情報記憶部７１は、同図（ｃ）に示すように、個人情報テーブル７１ａと、情報公開テーブル７１ｂと、通知者情報テーブル７１ｃと、検索条件テーブル７１ｄとを備える。
【００１５】
前記災害/事故/事件テーブル３１ａは、図３（ａ）に示すように、事象ＩＤ項目と種別項目と、事象情報項目と、事象発生地項目と、事象発生時刻項目と、事象レベル項目とを項目として備えることができる。この事象ＩＤ項目は、発生した災害事象を識別する固有の番号を示す。また、この種別項目は、発生した災害事象を災害、事故及び事件のいずれの分類に属するかを示す。また、この事象情報項目は、発生した災害事象の詳細な情報を示す。また、この事象発生地項目は、災害事象の発生地を示す。また、この事象発生時刻は、災害事象の発生時刻を示す。また、この事象レベル項目は、発生した災害事象の災害程度が事象レベル１、２及び３のうちいずれに該当するかを示し、災害の程度が大きい程、この事象レベルが高く設定される。この事象レベルは、軽微な災害、例えば台風を事象レベル１と定義され、中程度な災害、例えば震度４程度の地震を事象レベル２と定義され、甚大な災害、例えば大地震を事象レベル３と定義されることができる。
【００１６】
また、前記ユーザー状態テーブル４１ａは、同図（ｂ）に示すように、ユーザーＩＤ項目と、ユーザー位置項目と、ユーザー安否状態項目と、ユーザー回答状態項目と、ユーザー情報公開状態項目と、ＳＯＳ受け取り設定項目とを項目として備えることができる。このユーザーＩＤ項目は、前記利用者１００を固有に識別するＩＤ番号を示す。また、このユーザー位置項目は、前記利用者１００の位置を示す。また、このユーザー安否状態項目は、前記利用者１００の安否状態を示す。また、このユーザー回答状態は、前記利用者１００からの被災情報の応答状態を示す。また、このユーザー情報公開状態は、前記利用者１００の個人情報の公開状態を示す。また、この情報自動公開設定は、災害時に個人情報に関する情報公開を自動で行なうか否かの設定を示す。また、このＳＯＳ受け取り設定項目は、近隣に所在する被災者の存在を知らせるＳＯＳ信号を受け取るか否かの設定を示す。
【００１７】
また、前記個人情報テーブル７１ａは、図４（ａ）に示すように、ユーザーＩＤ項目と、ユーザー名項目と、郵便番号項目と、住所項目と、端末ＩＤ項目と、電話番号項目と、職業項目と、出身地項目と、出身校項目と、生年月日項目とを項目として備えることができる。このユーザーＩＤ項目は、前記利用者１００を固有に識別するＩＤ番号を示す。また、このユーザー名項目は、前記利用者１００の氏名を示す。また、この郵便番号項目は、前記利用者１００の住居場所の郵便番号を示す。また、この住所項目は、前記利用者１００の住居場所の住所を示す。また、この端末ＩＤ項目は、前記利用者１００の所有する移動端末１０１を固有に識別するＩＤ番号を示す。また、この電話番号項目は、前記移動端末１０１の電話番号を示す。また、この職業項目は、前記利用者１００の職業を示す。また、この出身地項目は、前記利用者１００の出身地を示す。また、この出身校項目は、前記利用者１００の出身校を示す。また、この生年月日項目は、前記利用者１００の生年月日を示す。
【００１８】
また、前記情報公開テーブル７１ｂは、同図（ｂ）に示すように、ユーザーＩＤ項目と、公開情報（事象レベル１）項目と、公開情報（事象レベル２）項目と、公開情報（事象レベル３）項目とを項目として備えることができる。このユーザーＩＤ項目は、前記利用者１００を固有に識別するＩＤ番号を示す。また、この公開情報（事象レベル１）項目、公開情報（事象レベル２）項目及び公開情報（事象レベル３）項目は、前記災害/事故/事件テーブル３１ａの事象レベル項目毎に前記利用者１００の公開可能な個人情報の範囲を示す。この個人情報の範囲は、例えば、前記利用者１００の氏名、現在地、住所及び出身地に関して定義することができる。また、前記利用者１００は、平時において災害時に備えてこの個人情報の範囲を前記事象レベルに応じて予め設定しておくことができる。
【００１９】
また、前記通知者情報テーブル７１ｃは、同図（ｃ）に示すように、ユーザーＩＤ項目と、通知メンバーグループ１項目と、通知メンバーグループ２項目と、通知メンバーグループ３項目とを項目として備えることができる。このユーザーＩＤ項目は、前記利用者１００を固有に識別するＩＤ番号を示す。また、この通知メンバーグループ１項目、通知メンバーグループ２項目及び通知メンバーグループ３項目は、災害時に前記利用者１００の安否を通知する関係者をメンバーグループとして示す。
【００２０】
また、前記検索条件テーブル７１ｄは、同図（ｄ）に示すように、ユーザーＩＤ項目と、検索条件レベル１項目と、検索条件レベル２項目と、検索条件レベル３項目とを項目として備えることができる。このユーザーＩＤ項目は、前記利用者１００を固有に識別するＩＤ番号を示す。また、この検索条件レベル１項目、検索条件レベル２項目及び検索条件レベル３項目は、災害時に前記利用者１００に関連する他の利用者１００を検索するための検索条件を前記災害/事故/事件テーブル３１ａの事象レベル項目毎に示す。
【００２１】
以下、前記構成に基づく本実施形態の災害情報通知システムの動作について説明する。
【００２２】
まず、災害情報通知システムとしての災害情報通知サーバー１０は、図５に示すように、外部機関２００から災害発生の情報を受信する（Ｓ１）。この災害情報通知サーバー１０は、図１における前記位置情報受付手段１、前記災害情報受付手段２、前記危険地域特定手段３、前記災害情報記憶部３１、前記被災者特定手段４、前記位置情報記憶部４１、前記災害情報伝達手段５、前記応答情報受付手段６、前記情報公開制御手段７、前記利用者情報記憶部７１、前記情報公開レベル変更手段８、前記応答情報対応手段９として具体的に構成される。
【００２３】
災害情報通知サーバー１０は、図６に示すように、災害・事件の発生を受け（Ｓ１０１）、この災害・事件を災害情報として前記外部機関２００から前記災害情報受付手段２により受信する（Ｓ１０２）。また、この災害情報受付手段２は、サーバーコンピュータの災害情報受付サーバーとして外部に備えることも可能である。
【００２４】
また、前記災害情報受付手段２は、この受信に基づいて前記災害/事故/事件テーブル３１ａに登録する。前記危険地域特定手段３は、この登録に基づいて、危険地域を特定し、前記災害情報記憶部３１に格納された前記災害/事故/事件テーブル３１ａを更新登録する。
【００２５】
次に、前記位置情報受付手段１は、前記利用者１００の所在地を前記移動端末１０１のＧＰＳ情報に基づいて前記ユーザー状態テーブル４１ａに登録する。また、前記位置情報受付手段１は、前記移動端末１０１のＧＰＳ情報を定期的、例えば３０分間隔で常時受信することも可能である。また、前記被災者特定手段４は、前記ユーザー状態テーブル４１ａ及び前記災害/事故/事件テーブル３１ａに基づいて、前記利用者１００の所在地が災害の発生付近の危険地域に含まれるかマッチングを行い、前記利用者１００が被災者か否かを特定する（Ｓ１０３）。
【００２６】
次に、前記災害情報通知サーバー１０は、図５に示すように、被災者である利用者１００に災害に関する災害情報を送信する（Ｓ２）。前記災害情報通知サーバー１０は、この利用者１００からこの災害情報の応答を受信する（Ｓ３）。この応答に応じて、前記災害情報通知サーバー１０は、この利用者１００の家族・友人１００ａの移動端末１０１ａへこの利用者１００の安否状態の送信（Ｓ４）や、救助隊３０１へこの利用者１００の救助依頼を行い、場合により病院３０２へ搬送を行う（Ｓ５）。また、搬送された病院３０２から病状や入院状況の連絡を受付ける（Ｓ６）。
【００２７】
前記災害情報通知サーバー１０は、図６に示すように、前記Ｓ３の結果により前記利用者１００の所在地が前記危険地域に含まれる場合には、前記災害情報伝達手段５によりこの利用者１００の移動端末１０１に前記災害情報を送信する（Ｓ１０４）。前記災害情報伝達手段５は、前記利用者１００の無事を示す応答を前記応答情報受付手段６により受信した場合（Ｓ１０５）には、前記通知者情報テーブル７１ｃに基づいて前記利用者１００の安否情報を前記利用者１００の家族及び友人宛に送信する（Ｓ１０６）。なお、前記利用者１００は、前記通知者情報テーブル７１ｃに被災時の通知対象者、例えば家族・友人１００ａを予め登録することができる。
【００２８】
このように、安否情報を前記利用者１００の家族・友人１００ａ宛に送信することから、災害の発生地域に前記利用者１００が存在していることや前記利用者１００の安否情報を前記家族及び友人が速やかに知ることとなり、前記利用者１００の家族・友人１００ａに迅速かつ正確な情報を提供することができ、最善の対応を促すことができる。また、身の危険に晒される前記利用者１００が伝えたい情報を伝えたい人へ自動的に通知することとなり、前記利用者１００及び前記利用者１００の家族・友人１００ａに心理的な安心感を提供することができる。
【００２９】
また、前記災害情報伝達手段５は、前記利用者１００から危険状態を示すＳＯＳ応答を前記応答情報受付手段６により受信した場合（Ｓ１０５）には、前記利用者１００の移動端末１０１にＳＯＳサインを発信するように指示する（Ｓ１０７）。このＳＯＳサインは、物理的なＳＯＳサイン、例えば音、光又は匂い、を発信するように指示することもできる。前記災害情報伝達手段５は、前記匂いの発信を指示する場合には、前記移動端末１０１から周囲に匂いが発せられることから、前記救助隊３０１の救助犬が前記利用者１００の居場所を早期に発見できることとなり、前記利用者１００の危険状態からの救助確率を高めることができる。
【００３０】
また、前記災害情報伝達手段５は、前記音の発信を指示する場合には、低周波の音波を発信させることもできる。前記災害情報伝達手段５は、この低周波の音波により、音波による障害物の透過性を高めることとなり、障害物が多い災害地においても前記救助犬により前記利用者１００を早期に救助することができる。また、前記災害情報伝達手段５は、前記ＳＯＳ応答が前記利用者１００の救助を求める内容の場合には、前記ユーザー状態テーブル４１ａの位置情報に基づいて、被災者である前記利用者１００の近くにいる他の利用者１００へＳＯＳ情報を発信することもできる。このＳＯＳ情報の発信により、救助を求める被災者である前記利用者１００の存在を周囲の人に早期に知らせることとなり、前記利用者１００を早期に救助することができ、救助を円滑に行うことができる。
【００３１】
また、前記応答情報対応手段９は、前記利用者１００からの応答が一定期間、例えば３０分以上ない場合には、前記ユーザー状態テーブル４１ａのユーザー安否状態項目をＳＯＳ（危険）状態と設定する（Ｓ１０８）。この設定後、前記Ｓ１０７と同様に、前記移動端末１０１に物理的なＳＯＳサインの発信を指示する（Ｓ１０９）。
【００３２】
また、前記応答情報対応手段９は、図７に示すように、前記Ｓ１０７のＳＯＳサイン発信時において、前記利用者１００が前記利用者１００の身近に所在する他の利用者１００や、救助隊３０１への救助を依頼することもできる。まず、前記Ｓ１０７及び前記Ｓ１０９と同様にＳＯＳサインが発信される（Ｓ２０１）。このＳＯＳサインの応答として、前記利用者１００から危険状態を示すＳＯＳ応答を前記応答情報受付手段６により受信する（Ｓ２０２）。前記応答情報対応手段９は、このＳＯＳ応答に基づいて救助隊に前記利用者１００を救助する旨の依頼を発信する（Ｓ２０３）。
【００３３】
また、前記応答情報対応手段９は、前記被災者である利用者１００の付近に前記ユーザー状態テーブル４１ａのＳＯＳ受け取り設定項目が「受取る」かつユーザー安否状態項目が「安全」の条件をみたす他の利用者１００を前記ユーザー状態テーブル４１ａの位置情報のマッチングにより検出する（Ｓ２０４）。この検出された他の利用者１００宛に前記被災者である利用者１００の位置情報を送信する（Ｓ２０５）。この位置情報の送信により、災害避難場所や災害発生現場において前記被災者である利用者１００の付近に救助可能な利用者１００を割り出すこととなり、前記被災者である利用者１００の迅速な救助を支援することができる。
【００３４】
また、前記情報公開制御手段７は、図８に示すように、前記Ｓ１０５における安否確認とともに、前記ユーザー状態テーブル４１ａの情報自動公開設定項目に基づいて、前記利用者１００の個人情報の公開を判断する（Ｓ３０１）。前記情報公開制御手段７は、この判断により情報公開する場合には、前記災害/事故/事件テーブル３１ａの事象レベル項目に基づいて、前記情報公開テーブル７１ｂの情報公開レベル項目に定義された情報を公開する（Ｓ３０２）。
【００３５】
前記情報公開制御手段７は、例えば、大地震発生時には、前記事象レベル項目を事象レベル３と判断して前記情報公開レベルを情報公開レベル３と判断し、前記情報公開テーブル７１ｂの情報公開レベル項目に定義された情報、例えば前記個人情報テーブル７１ａと前記ユーザー状態テーブル４１ａの全情報、を必要とする機関に公開することができる。また、前記情報公開レベル変更手段８は、前記Ｓ１０５における安否確認の結果に応じて、動的に前記情報公開レベルを変更することもできる。例えば、前記情報公開レベル変更手段８は、前記Ｓ１０５において前記利用者１００から危険状態を示すＳＯＳ応答を前記応答情報受付手段６により受信し、前記事象レベル項目を事象レベル２と判断する場合に、前記情報公開レベルを前記情報公開レベル２から前記情報公開レベル３に変更することができる。
【００３６】
また、前記情報公開レベル変更手段８は、この場合において、前記利用者１００により前記情報公開テーブル７１ｂの公開情報（事象レベル２）項目まで定義され、公開情報（事象レベル３）項目を未定義の場合には、前記情報公開レベル２の情報公開を実施する。このように、前記利用者１００は、災害時の情報公開レベルの変更範囲を自ら定義することができ、本人の意思を尊重して個人情報の公開範囲を決定することができる。
【００３７】
また、前記情報公開制御手段７は、前記災害/事故/事件テーブル３１ａの事象レベル項目に基づいて、前記検索条件テーブル７１ｄに定義された検索条件に該当する他の利用者１００が前記被災者である利用者１００の近くに存在するかを検索する（Ｓ３０３）。前記情報公開制御手段７は、例えば、前記検索条件テーブル７１ｄの検索条件レベル２項目に「同じ出身高校」と指定された場合には、前記事象レベル２の災害時に同じ出身高校の他の利用者１００が検索される。
【００３８】
前記情報公開制御手段７は、この検索された他の利用者１００の位置を、前記ユーザー状態テーブル４１ａのユーザー位置項目とマッチングを行い特定する。また、前記情報公開制御手段７は、例えば、前記情報自動公開設定項目が前記公開レベル３の場合には、前記事象レベル３の災害時に、前記個人情報テーブル７１ａと前記ユーザー状態テーブル４１ａの全情報を前記他の利用者１００に公開するという仕様も可能である。
【００３９】
前記情報公開制御手段７は、前記検索の結果に基づいて、前記被災者である利用者１００の公開情報及び位置情報を検索された利用者１００に送信する（Ｓ３０４）。このように、前記情報公開制御手段７は、検索された利用者１００への情報公開により、災害避難場所や災害発生現場において前記被災者である利用者１００の知り合いが近くにいる場合には、お互いを知り合う機会を提供することとなり、互いに助け合う環境を築くことができ、近くに存在する知り合いを知る手段がない従来の場合では得られない精神的な支援を提供することができる。
【００４０】
また、前記情報公開制御手段７は、前記Ｓ３０１にて情報公開しない場合には、前記被災者である利用者１００の移動端末１０１に、情報公開の可否の確認を行う（Ｓ３０５）。前記情報公開制御手段７は、この情報公開の可否の確認により、前記利用者１００から前記情報公開レベルの変更の旨を受付けた場合（Ｓ３０６）には、前記Ｓ３０２以降の処理を同様に実施する。また、前記情報公開制御手段７は、この情報公開の可否の確認により、前記利用者１００から前記情報公開レベルの変更無しとの旨を受付けた場合（Ｓ３０６）には、図８における情報公開の処理を終了する。
【００４１】
また、本実施形態に係る災害情報通知システムを構成する各機器のハードウエア構成は、ＣＰＵ、メモリ、大容量記憶装置、ディスプレイ、通信装置、キーボード、マウス、入力手段及び上記各部を接続するバスからなる。なお、本災害情報通知システムにおける各機器はいずれも同一のハードウエア構成を有するものとする。
（本発明の第２の実施形態）
以下、本発明の第２の実施形態に係る災害情報通知システムを、図９ないし図１２に基づいて説明する。
この図９は本発明の第２の実施形態に係る災害情報通知システムの利用者情報記憶部に記憶される情報を示す説明図、図１０は図９に記載された災害情報通知システムの利用者情報記憶部に追加された情報のデータレイアウト例、図１１は図９に記載された災害情報通知システムの医療情報取得のフローチャート、図１２は図９に記載された災害情報通知システムの医療情報通知のフローチャートを示す。
【００４２】
本実施形態に係る災害情報通知システムは、前記第１の実施形態を記載した図１と同様に、前記位置情報受付手段１と、前記災害情報受付手段２と、前記危険地域特定手段３と、前記災害情報記憶部３１と、前記被災者特定手段４と、前記位置情報記憶部４１と、前記災害情報伝達手段５と、前記応答情報受付手段６と、前記情報公開制御手段７と、前記利用者情報記憶部７１と、前記情報公開レベル変更手段８と、前記応答情報対応手段９とを備え、さらに、前記利用者情報記憶部７１が、病院テーブル７１ｅと、医療情報テーブル７１ｆと、戸籍情報テーブル７１ｇとを追加で備える。本実施形態に係る災害情報通知システムは、前記図５に示すように、災害時に前記Ｓ５において前記病院３０２に搬送された前記利用者１００に関して、前記病院３０２から問い合わせを受け（Ｓ６）、この問い合わせに対して前記利用者１００の個人情報の公開を含めて応答し、治療及び周囲への情報連携を円滑化するものである。
【００４３】
前記病院テーブル７１ｅは、図１０（ａ）に示すように、病院ＩＤ項目と、病院名項目と、病院地図項目と、病院連絡先項目と、病院情報登録責任者項目とを項目として備えることができる。この病院ＩＤ項目は、前記病院３０２を固有に識別するＩＤ番号を示す。また、この病院名項目は、前記病院３０２の名称を示す。また、この病院地図項目は、前記病院３０２の地図上の所在地を示す。また、この病院連絡先項目は、前記病院３０２の連絡先を示す。また、この病院情報登録責任者項目は、病院情報の登録責任者を示す。
【００４４】
また、前記医療情報テーブル７１ｆは、同図（ｂ）に示すように、ユーザーＩＤ項目と、病院ＩＤ項目と、担当医項目と、診療情報項目とを項目として備えることができる。
このユーザーＩＤ項目は、前記利用者１００を固有に識別するＩＤ番号を示す。また、この病院ＩＤ項目は、前記病院３０２を固有に識別するＩＤ番号を示す。また、この担当医項目は、前記利用者１００の担当医の氏名を示す。また、この診療情報項目は、前記利用者１００の過去の診療結果を示す。
【００４５】
また、前記戸籍情報テーブル７１ｇは、同図（ｃ）に示すように、ユーザーＩＤ項目と、戸籍関係者名項目と、戸籍関係者連絡先項目とを項目として備えることができる。このユーザーＩＤ項目は、前記利用者１００を固有に識別するＩＤ番号を示す。また、この戸籍関係者名項目は、前記利用者１００の戸籍関係者の氏名を示す。また、この戸籍関係者連絡先項目は、前記利用者１００の戸籍関係者の連絡先を示す。
【００４６】
以下、前記構成に基づく本実施形態の災害情報通知システムの動作を、前記第１の実施形態への追加処理に関して説明する。まず、前記利用者１００は、平時において、前記医療情報テーブル７１ｆへ医療情報を登録しておく。前記利用者１００は、前記医療情報テーブル７１ｆのうち診療情報項目に診療情報、例えば血液検査結果、病歴、持病及びアレルギー情報を登録することができる。
【００４７】
前記情報公開制御手段７は、図１１に示すように、前記第１の実施形態に記載した図６の安否確認（Ｓ１０５）で前記利用者１００が前記病院３０２に搬送されたことが判明した場合、前記医療情報テーブル７１ｆに基づいてこの利用者１００に関する情報の有無を確認する（Ｓ４０１）。前記情報公開制御手段７は、この確認によりこの利用者１００に関する情報が存在しない場合には、この利用者１００に関する医療情報の提供を前記病院３０２に依頼する（Ｓ４０２）。前記情報公開制御手段７は、この依頼により前記病院３０２からの医療情報の提供を受付け、前記医療情報テーブル７１ｆに登録を行う（Ｓ４０３）。
【００４８】
また、前記情報公開制御手段７は、図１２に示すように、災害時に前記利用者１００の搬送された前記病院３０２から前記利用者１００に関する医療情報の問い合わせを受付ける（Ｓ５０１）。前記情報公開制御手段７は、この問い合わせに基づいて前記病院テーブル７１ｅの病院ＩＤ項目に基づいてこの病院３０２が登録されている病院ＩＤか否かを判断する（Ｓ５０２）。
【００４９】
前記情報公開制御手段７は、この病院ＩＤが登録されている場合には、前記ユーザー状態テーブル４１ａに前記利用者１００の負傷情報を反映する（Ｓ５０３）。また、前記情報公開制御手段７は、前記災害/事故/事件テーブル３１ａに基づいて災害の事象レベル状態を確認する（Ｓ５０４）。
【００５０】
前記情報公開制御手段７は、前記事象レベル状態がレベル１又はレベル２の場合には、前記情報公開テーブルに基づいて情報公開可能か否かを判断する（Ｓ５０５）。前記情報公開制御手段７は、この判断により情報公開可能な場合には、問い合わせを行った前記病院３０２に前記利用者１００の医療情報を提供する（Ｓ５０６）。
【００５１】
このように、前記利用者１００は、災害時に搬送される病院３０２が必ずしもかかりつけの病院３０２であるとは限らない状況で、搬送される病院３０２が常に同等な医療情報を備えることとなり、搬送される病院３０２に依らず的確な治療を受けることができる。また、前記情報公開制御手段７は、前記事象レベル状態に応じて情報提供することから、災害発生時や自身に危険が迫っている場合に対して予め個人情報の内容、公開範囲及び公開先を定義できることとなり、本人の不本意な情報公開や不適切な情報公開を防止しつつ、十分な情報を前記病院３０２に提供することができる。また、この情報公開を受けた前記病院３０２は、搬送された前記利用者１００に関する医療情報、例えば病歴、持病及びアレルギーを参照できることとなり、的確に治療を進めることができる。
【００５２】
また、前記情報公開制御手段７は、前記通知者情報テーブル７１ｃに基づいて前記利用者１００の通知者登録の有無を確認する（Ｓ５０７）。前記情報公開制御手段７は、通知者登録が存在する場合には、前記利用者１００に関する情報及び前記利用者１００の搬送された前記病院３０２に関する情報を、通知者、例えば家族、友人及び関係者に送信する（Ｓ５０８）。この通知者への情報送信により、前記利用者１００の安否を一刻でも早く知りたい通知者に前記利用者１００が病院に搬送された事実をいち早く知らせることとなり、この通知者へ確実な情報とともに安心感を提供することができる。
【００５３】
また、前記Ｓ５０４において災害の事象レベル状態が最も甚大な事象レベル３の場合には、前記Ｓ５０５における情報公開可能か否かの設定に依らず、前記Ｓ５０６で問い合わせを行った病院３０２に無条件に前記利用者１００の医療情報を提供する。このように事象レベルに応じて、情報公開の優先順位を付けることにより、災害の緊急度と個人情報保護のバランスを確保することができる。
【００５４】
また、前記情報公開制御手段７は、前記Ｓ５０７にて、前記利用者１００の通知者登録が存在しない場合には、関係組織、例えば戸籍情報を有する自治体に情報の公開を依頼する（Ｓ５０９）。前記情報公開制御手段７は、この依頼により自治体から戸籍情報の提供を受付けた場合には、この提供情報を前記戸籍情報テーブル７１ｇに登録する（Ｓ５１０）。この自治体との連携方法は、例えば自治体の住基ネットと連携することも可能である。
【００５５】
前記情報公開制御手段７は、この登録により更新された前記戸籍情報テーブル７１ｇに基づいて前記Ｓ５０８と同様の処理を行う。このように、前記利用者１００に関して事前に通知者登録の存在しない場合にも、通知すべき対象者を前記関係組織と連携することにより実現することができる。
【００５６】
（本発明のその他の実施形態）
以下、本発明のその他の実施形態に係る災害情報通知システムを、図１３に基づいて説明する。この図１３は本発明のその他の実施形態に係る災害情報通知システムの危険ランク対応図及び個人情報テーブルレイアウト例を示す。
【００５７】
本実施形態に係る災害情報通知システムは、前記第１の実施形態及び前記第２の実施形態を記載した図１と同様に、前記位置情報受付手段１と、前記災害情報受付手段２と、前記危険地域特定手段３と、前記災害情報記憶部３１と、前記被災者特定手段４と、前記位置情報記憶部４１と、前記災害情報伝達手段５と、前記応答情報受付手段６と、前記情報公開制御手段７と、前記利用者情報記憶部７１と、前記情報公開レベル変更手段８と、前記応答情報対応手段９とを備え、前記情報公開制御手段７が、災害地の危険度をランク付けし、被災者である前記利用者１００の生活環境及び／又は本人特性を考慮して救助支援を行うものである。
【００５８】
また、前記危険地域特定手段３は、前記第１の実施形態に記載した図６に示すように、前記災害情報受付手段２が前記災害情報を受信し（Ｓ１０２）、前記災害情報記憶部３１に格納された前記災害/事故/事件テーブル３１ａに登録して危険地域を特定する。本実施形態は、この危険地域の特定に関して、危険地域の中でもさらに危険度合いに応じた危険ランクを設定する。また、前記利用者情報に含まれる前記利用者の生活環境及び／又は本人特性に基づいて、前記災害による影響の受け易さに応じて前記利用者を重み付けし、この重み付け結果としての警告ランクを設定する。
【００５９】
この危険ランクは、例えば、図１３（ａ）に示すように、災害発生地を含む最も危険度の高い前記危険地域を危険ランク３と定義し、以下、災害発生地から距離が離れるに従い危険ランク２、危険ランク１、と定義することができる。前記情報公開レベル変更手段８は、例えば、災害が前記事象レベル１の比較的小規模な場合において、最も危険度の高い前記危険ランク３に位置する利用者１００には前記情報公開レベルの許容範囲内で最大の情報を公開し、最も危険度の低い前記危険ランク１に位置する利用者１００には前記情報公開レベルに設定された最小限の情報を公開することができる。このように、前記情報公開レベル変更手段８がランク付けされた前記危険地域に応じて前記情報公開レベルを変更することから、前記危険地域の場所に対して優先順位を付けることとなり、被災の状況に応じた災害対応を柔軟に支援することができる。
【００６０】
前記個人情報テーブル７１ａは、同図（ｂ）に示すように、前記警告ランクの設定に伴い、同居形態項目、健康状態項目及び警告ランク項目を追加することができる。この同居形態項目は、利用者１００の同居形態、例えば一人暮らし、親と同居か否かを示す。また、この健康状態項目は、利用者１００の健康状態、例えば健常、障害者、入院中か否かを示す。また、この警告ランク項目は、災害時に災害情報を利用者１００に通知する指標となる警告ランク１から警告ランク３までの警告ランクを示す。
【００６１】
前記情報公開制御手段７は、例えば、一人暮らしの高齢者や入院患者のように災害の被害を受け易い利用者１００の場合には、前記警告ランクを最大の警告ランク３と設定することができる。また、前記情報公開制御手段７は、２０歳代の健常者のように比較的災害の被害を受け難い利用者１００の場合には、前記警告ランクを最小の警告ランク１と設定することができる。
【００６２】
前記情報公開レベル変更手段８は、例えば、前記警告ランク３に該当する利用者１００には災害状況によらず前記情報公開レベルの許容範囲内で最大の情報を公開し、前記警告ランク１に該当する利用者１００には前記情報公開レベルに設定された最小限の情報を公開することができる。この警告ランクにより、個々人の置かれた状況を鑑みて優先順位を付けて被災者を特定することとなり、個々人の状況に応じて柔軟に災害対応を行うことができる。
【００６３】
尚、本災害情報通知システムは、災害情報の通知の他に、警察や救助隊によりシステム監視されることも可能であり、特に通知に時間を要する場合においては被害者としての利用者１００をいち早く救助することができる。また、利用者１００は、特別な状況に応じて、移動端末１０１の設定により通常は有効化されている災害情報通知を受信する機能を無効化することも可能であり、個々人のニーズに応じてこの機能を柔軟に設定することができる。また、前記各実施形態において、前記災害情報通知サーバー１０から安否確認としてのメール通知を１回行うこととしたが、この通知方法に限定されることはなく、このメール通知を所定間隔毎、例えば３０分毎に通知し、複数回数に亘り通知することもできる。この複数回数のメール通知により、被災者による安否確認の受取りをより確実に行うことができ、時々刻々と変化する災害状況に柔軟に対応することができる。
【００６４】
［付記］  以上の実施例を含む実施形態に関し、更に以下の付記を開示する。
（付記１）人災及び天災を含む災害の発生時に、移動端末を所有する利用者に当該災害に関する災害情報を通知する災害情報通知システムにおいて、前記移動端末の所在地に関する位置情報を受付ける位置情報受付手段と、前記災害の発生時に前記災害情報を受付ける災害情報受付手段と、前記受付けられた災害情報に基づいて、前記災害における危険地域を特定する危険地域特定手段と、前記特定された危険地域及び前記受付けられた位置情報に基づいて、前記危険地域に所在する前記利用者を被災者として特定する被災者特定手段と、前記特定された被災者の前記移動端末に前記災害情報を伝達する災害情報伝達手段と、前記伝達された災害情報の応答として前記被災者からの応答情報を受付ける応答情報受付手段と、前記利用者に関する個人情報を情報公開する際のレベルとしての情報公開レベルを少なくとも含む利用者情報が入力され、当該入力された情報公開レベルに基づいて、前記災害発生時の前記個人情報に関する問い合わせに対する情報公開範囲を制御する情報公開制御手段と、前記情報公開レベルを前記応答情報及び前記災害情報の内容に応じて変更する情報公開レベル変更手段とを備え、前記情報公開レベルに基づいて前記被災者の個人情報を前記被災者のために情報公開する災害情報通知システム。
【００６５】
（付記２）前記利用者の関係者に関する情報を前記利用者情報に含んで記憶する利用者情報記憶手段と、前記応答情報受付手段により受付けられた前記応答情報及び前記利用者情報に基づいて、前記被災者の関係者への報告及び／又は救助隊への指示を行う応答情報対応手段とを備える付記１記載の災害情報通知システム。
【００６６】
（付記３）前記危険地域特定手段が、前記災害情報に基づいて災害危険度に応じて前記危険地域をランク付けし、前記情報公開レベル変更手段が、ランク付けされた前記危険地域に応じて前記情報公開レベルを変更する付記１又は付記２記載の災害情報通知システム。
【００６７】
（付記４）前記利用者の生活環境及び／又は本人特性を前記利用者情報に含んで記憶する利用者情報記憶手段を備え、前記情報公開制御手段が、前記利用者情報に含まれる前記利用者の生活環境及び／又は本人特性に基づいて、前記災害による影響の受け易さに応じて前記利用者を重み付けし、前記情報公開レベル変更手段が、前記重み付けに応じて前記情報公開レベルを変更する付記１ないし付記３記載の災害情報通知システム。
【００６８】
（付記５）前記災害情報伝達手段が、前記応答情報受付手段により受付けられた前記応答情報に基づいて、前記被災者の前記移動端末に、五感にて検知される物理的な遭難信号を発信させる付記１ないし付記４に記載の災害情報通知システム。
【００６９】
（付記６）人災及び天災を含む災害の発生時に、移動端末を所有する利用者に当該災害に関する災害情報を通知する災害情報通知方法において、前記移動端末の所在地に関する位置情報を受付ける位置情報受付工程と、前記災害の発生時に前記災害情報を受付ける災害情報受付工程と、前記受付けられた災害情報に基づいて、前記災害における危険地域を特定する危険地域特定工程と、前記特定された危険地域及び前記受付けられた位置情報に基づいて、前記危険地域に所在する前記利用者を被災者として特定する被災者特定工程と、前記特定された被災者の前記移動端末に前記災害情報を伝達する災害情報伝達工程と、前記伝達された災害情報の応答として前記被災者からの応答情報を受付ける応答情報受付工程と、前記利用者に関する個人情報を情報公開する際のレベルとしての情報公開レベルを少なくとも含む利用者情報が入力され、当該入力された情報公開レベルに基づいて、前記災害発生時の前記個人情報に関する問い合わせに対する情報公開範囲を制御する情報公開制御工程と、前記情報公開レベルを前記災害情報の内容に応じて変更する情報公開レベル変更工程とを備え、前記情報公開レベルに基づいて前記被災者の個人情報を前記被災者のために情報公開する災害情報通知方法。
【００７０】
（付記７）前記利用者の関係者に関する情報を前記利用者情報に含んで記憶する利用者情報記憶工程と、前記応答情報受付工程により受付けられた前記応答情報及び前記利用者情報に基づいて、前記被災者の関係者への報告及び／又は救助隊への指示を行う応答情報対応工程とを備える付記６記載の災害情報通知方法。
【００７１】
（付記８）前記危険地域特定工程が、前記災害情報に基づいて災害危険度に応じて前記危険地域をランク付けし、前記情報公開レベル変更工程が、ランク付けされた前記危険地域に応じて前記情報公開レベルを変更する付記６又は付記７記載の災害情報通知方法。
【００７２】
（付記９）前記利用者の生活環境及び／又は本人特性を前記利用者情報に含んで記憶する利用者情報記憶工程を備え、前記情報公開制御工程が、前記利用者情報に含まれる前記利用者の生活環境及び／又は本人特性に基づいて、前記災害による影響の受け易さに応じて前記利用者を重み付けし、前記情報公開レベル変更工程が、前記重み付けに応じて前記情報公開レベルを変更する付記６ないし付記８記載の災害情報通知方法。
【００７３】
（付記１０）前記災害情報伝達工程が、前記応答情報受付工程により受付けられた前記応答情報に基づいて、前記被災者の前記移動端末に、五感にて検知される物理的な遭難信号を発信させる付記６ないし付記９に記載の災害情報通知方法。
【００７４】
（付記１１）人災及び天災を含む災害の発生時に、移動端末を所有する利用者に当該災害に関する災害情報を通知するようにコンピュータを機能させる災害情報通知プログラムにおいて、前記移動端末の所在地に関する位置情報を受付ける位置情報受付手段、前記災害の発生時に前記災害情報を受付ける災害情報受付手段、前記受付けられた災害情報に基づいて、前記災害における危険地域を特定する危険地域特定手段、前記特定された危険地域及び前記受付けられた位置情報に基づいて、前記危険地域に所在する前記利用者を被災者として特定する被災者特定手段、前記特定された被災者の前記移動端末に前記災害情報を伝達する災害情報伝達手段、前記伝達された災害情報の応答として前記被災者からの応答情報を受付ける応答情報受付手段、前記利用者に関する個人情報を情報公開する際のレベルとしての情報公開レベルを少なくとも含む利用者情報が入力され、当該入力された情報公開レベルに基づいて、前記災害発生時の前記個人情報に関する問い合わせに対する情報公開範囲を制御する情報公開制御手段、前記情報公開レベルを前記災害情報の内容に応じて変更する情報公開レベル変更手段としてコンピュータを機能させ、前記情報公開レベルに基づいて前記被災者の個人情報を前記被災者のために情報公開する災害情報通知プログラム。
【００７５】
（付記１２）前記利用者の関係者に関する情報を前記利用者情報に含んで記憶する利用者情報記憶手段、前記応答情報受付手段により受付けられた前記応答情報及び前記利用者情報に基づいて、前記被災者の関係者への報告及び／又は救助隊への指示を行う応答情報対応手段を備える付記１１記載の災害情報通知プログラム。
【００７６】
（付記１３）前記危険地域特定手段が、前記災害情報に基づいて災害危険度に応じて前記危険地域をランク付けし、前記情報公開レベル変更手段が、ランク付けされた前記危険地域に応じて前記情報公開レベルを変更する付記１１又は付記１２記載の災害情報通知プログラム。
【００７７】
（付記１４）前記利用者の生活環境及び／又は本人特性を前記利用者情報に含んで記憶する利用者情報記憶手段を備え、前記情報公開制御手段が、前記利用者情報に含まれる前記利用者の生活環境及び／又は本人特性に基づいて、前記災害による影響の受け易さに応じて前記利用者を重み付けし、前記情報公開レベル変更手段が、前記重み付けに応じて前記情報公開レベルを変更する付記１１ないし付記１３記載の災害情報通知プログラム。
【００７８】
（付記１５）前記災害情報伝達手段が、前記応答情報受付手段により受付けられた前記応答情報に基づいて、前記被災者の前記移動端末に、五感にて検知される物理的な遭難信号を発信させる付記１１ないし付記１４に記載の災害情報通知プログラム。
【図面の簡単な説明】
【００７９】
【図１】本発明の第１の実施形態に係る災害情報通知システムの構成を示すブロック図。
【図２】本発明の第１の実施形態に係る災害情報通知システムの各記憶部に記憶される情報を示す説明図。
【図３】本発明の第１の実施形態に係る災害情報通知システムの位置情報記憶部及び災害情報記憶部に記憶される情報のデータレイアウト例。
【図４】本発明の第１の実施形態に係る災害情報通知システムの利用者情報記憶部に記憶される情報のデータレイアウト例。
【図５】本発明の第１の実施形態に係る災害情報通知システムを中心とする全体概略図。
【図６】本発明の第１の実施形態に係る災害情報通知システムの災害情報通知のフローチャート。
【図７】本発明の第１の実施形態に係る災害情報通知システムのＳＯＳサイン発動のフローチャート。
【図８】本発明の第１の実施形態に係る災害情報通知システムの情報公開のフローチャート。
【図９】本発明の第２の実施形態に係る災害情報通知システムの利用者情報記憶部に記憶される情報を示す説明図。
【図１０】本発明の第２の実施形態に係る災害情報通知システムの利用者情報記憶部に追加された情報のデータレイアウト例。
【図１１】本発明の第２の実施形態に係る災害情報通知システムの医療情報取得のフローチャート。
【図１２】本発明の第２の実施形態に係る災害情報通知システムの医療情報通知のフローチャート。
【図１３】本発明のその他の実施形態に係る災害情報通知システムの危険ランク対応図及び個人情報テーブルレイアウト例。
【符号の説明】
【００８０】
１  位置情報受付手段
２  災害情報受付手段
３  危険地域特定手段
３１  災害情報記憶部
３１ａ  災害/事故/事件テーブル
４  被災者特定手段
４１  位置情報記憶部
４１ａ  ユーザー状態テーブル
５  災害情報伝達手段
６  応答情報受付手段
７  情報公開制御手段
７１  利用者情報記憶部
７１ａ  個人情報テーブル
７１ｂ  情報公開テーブル
７１ｃ  通知者情報テーブル
７１ｄ  検索条件テーブル
７１ｅ  病院テーブル
７１ｆ  医療情報テーブル
７１ｇ  戸籍情報テーブル
８  情報公開レベル変更手段
９  応答情報対応手段
１０  災害情報通知サーバー
１００  利用者
１００ａ  家族・友人
１００ｂ  関係者
１０１  利用者の移動端末
１０１ａ  家族・友人の移動端末
１０１ｂ  関係者の移動端末
２００  外部機関
３００  第三者機関
３０１  救助隊
３０２  病院
【図１】
2010057075.tif 000003
【図２】
2010057075.tif 000004
【図３】
2010057075.tif 000005
【図４】
2010057075.tif 000006
【図９】
2010057075.tif 000007
【図１０】
2010057075.tif 000008
【図５】
2010057075.tif 000009
【図６】
2010057075.tif 000010
【図７】
2010057075.tif 000011
【図８】
2010057075.tif 000012
【図１１】
2010057075.tif 000013
【図１２】
2010057075.tif 000014
【図１３】
2010057075.tif 000015